(57)【要約】【課題】  外筒及び内筒を備える筒状容器の棒状化粧料を始めとした芯材の損傷を防止し且つ筒状容器の肉ひけを防止する。【解決手段】  周方向に複数形成された突部１１ｃ又は溝部を外面に有する内筒１１と、この内筒１１の少なくとも先端側を覆うと共に、突部１１ｃ又は溝部に対応して複数形成され突部１１ｃ又は溝部が軸線方向に進入し相対回転不能に係合する溝部１０ｃ又は突部を内面に有する外筒１０と、を具備し、係合する突部１１ｃ及び溝部１０ｃを、その側面１１ｄ，１０ｄ同士が厚み方向の動きを拘束する形状とし、従来の横断面略長方形形状の突部及び溝部の側面同士では阻止されていない厚み方向への動きを容易に阻止し、筒状容器２０に曲げ力が作用した場合の曲げ変形量を小さくすると共に、筒状容器２０を内筒１１と外筒１０とに分割することで、外筒１０、内筒１１各部品での肉厚差を小さくする。【選択図】  図８
2005279045.tif 000002
【特許請求の範囲】
【請求項１】
芯材を収容すると共に、進退する前記芯材を先端の開口から出没可能とする筒状容器を備えたペンシル型容器において、
前記筒状容器は、
周方向に複数形成された突部又は溝部を外面に有する内筒と、
この内筒の少なくとも先端側を覆うと共に、前記突部又は前記溝部に対応して複数形成され前記突部又は前記溝部が軸線方向に進入し相対回転不能に係合する溝部又は突部を内面に有する外筒と、を具備し、
前記係合する突部及び溝部は、その側面同士が厚み方向の動きを拘束する形状に構成されていることを特徴とするペンシル型容器。
【請求項２】
前記側面は内広がり又は外広がりの傾斜面であることを特徴とする請求項１記載のペンシル型容器。
【請求項３】
前記外筒が前記溝部を、前記内筒が前記突部を各々備え、
前記溝部は、内側の開口幅に比して溝部の底面が長くされ側面が外広がりの傾斜面とされ、
前記突部は前記溝部に近接する形状とされていることを特徴とする請求項１又は２記載のペンシル型容器。
【請求項４】
前記外筒及び前記内筒を備える前記筒状容器は、軸線方向に進退可能な押棒を備える収容容器の先端側に内挿されて着脱可能に装着されると共に、前記内筒の後端面に前記押棒の進退を可能とする開口を有し、
前記筒状容器の内部には、
周方向に複数配設した支持片により前記芯材としての棒状化粧料の後端部を支持すると共に、前進する前記押棒に押されて先端側に移動する支持体と、
この支持体を摺動可能に収容すると共に、軸線方向に延在するスリットを周壁に複数備え当該スリットに前記支持片が摺動可能に進入するスリットパイプと、
前記支持体を後方側へ付勢する弾性体と、が設けられ、
前記スリットパイプは、前記内筒内の前記開口の周囲と前記外筒の先端部の内面との間に挟み付けられ、
前記内筒は、その外周面に、前記筒状容器が前記収容容器に対して装着されると当該収容容器の先端面に突き当てられる段部を有していることを特徴とする請求項１〜３の何れか一項に記載のペンシル型容器。
【発明の詳細な説明】
【技術分野】
【０００１】
本発明は、ペンシル型容器に関する。
【背景技術】
【０００２】
従来、芯材を収容すると共に、進退する芯材を先端の開口から出没可能とする筒状容器を備えたペンシル型容器として、当該筒状容器を、内筒と、この内筒の先端側を覆う外筒とに分割したものが知られている（例えば、特許文献１参照）。この公報に記載の筒状容器にあっては、外筒と内筒との間に中筒を設け、さらに、外筒の内周面に周方向に沿って複数の係合溝部を、中筒の外周面に外筒の係合溝部に対応する複数の係合突部を、中筒の内周面に周方向に沿って複数の係合突部を、内筒の外周面に中筒の係合突部に対応する複数の係合溝部を各々設け、外筒内周の係合溝部に中筒外周の係合突部を進入させると共に、中筒内周の係合突部に内筒外周の係合溝部を進入させることで、外筒、中筒及び内筒の三体を相対回転不能に係合する構成が採用されている。このような係合を成す係合突部は、横断面（軸線方向直交面）略長方形形状とされ、係合溝部は係合突部に略合致し近接する形状とされている。
【特許文献１】特開平７−２４６７９７号公報
【発明の開示】
【発明が解決しようとする課題】
【０００３】
しかしながら、上記ペンシル型容器にあっては、各筒体を相対回転不能に係合している係合突部と係合溝部との間に、組み立て時に必要な隙間が存在するため、筒状容器に外部から曲げ力が作用すると、筒状容器を分割していない一体ものとした場合に比して、曲げ変形量が大きく、特に芯材を棒状化粧料とした場合には当該棒状化粧料が折損する虞がある。
【０００４】
本発明は、このような課題を解決するために成されたものであり、棒状化粧料を始めとした芯材の損傷が防止されるペンシル型容器を提供することを目的とする。
【課題を解決するための手段】
【０００５】
本発明によるペンシル型容器は、芯材を収容すると共に、進退する芯材を先端の開口から出没可能とする筒状容器を備えたペンシル型容器において、筒状容器は、周方向に複数形成された突部又は溝部を外面に有する内筒と、この内筒の少なくとも先端側を覆うと共に、突部又は溝部に対応して複数形成され突部又は溝部が軸線方向に進入し相対回転不能に係合する溝部又は突部を内面に有する外筒と、を具備し、係合する突部及び溝部は、その側面同士が厚み方向の動きを拘束する形状に構成されていることを特徴としている。
【０００６】
このようなペンシル型容器によれば、外筒の内面、内筒の外面に各々複数が設けられ、係合する突部及び溝部のその側面同士が、厚み方向の動きを拘束する形状に構成されているため、従来の横断面略長方形形状の突部及び溝部の側面同士では阻止されていない厚み方向への動きが容易に阻止され、筒状容器に曲げ力が作用した場合の曲げ変形量が小さくされる。また、ペンシル型容器は一般的に先細りの形状で先端側から後側へ離間するに連れて肉厚差が大きくなり肉ひけ（ボイドを含む）を招来する虞があるが、筒状容器が、内筒とこの内筒の少なくとも先端側を覆う外筒とに分割されているため、外筒、内筒各部品での肉厚差が小さくされる。
【０００７】
ここで、側面は内広がり又は外広がりの傾斜面であると、簡易な構成で上記作用を奏することが可能とされる。
【０００８】
また、上記作用を効果的に奏する構成としては、具体的には、外筒が溝部を、内筒が突部を各々備え、溝部は、内側の開口幅に比して溝部の底面が長くされ側面が外広がりの傾斜面とされ、突部は溝部に近接する形状とされる構成が挙げられる。
【０００９】
ここで、上記構成を、支持体を押棒により押し出し弾性体により戻すタイプである特開平１１−７５９３４号公報に記載のペンシル型容器（棒状化粧料繰出容器）に単に適用することを考えてみる。このペンシル型容器を構成する筒状容器にあっては、筒状容器の後端の開口に、押棒の進退を可能とする開口を中央に有する尾栓を内挿し嵌着する構成であるため、この筒状容器を装着した収容容器（ペンシル型容器）を例えば落とした場合には、尾栓に対して、棒状化粧料及びこれを支持する支持体の重みによる後方側へ向かう衝撃力が作用し、尾栓が収容容器内において後方に離脱する虞がある。
【００１０】
そこで、本発明によるペンシル型容器は、上記構成に加えて、外筒及び内筒を備える筒状容器は、軸線方向に進退可能な押棒を備える収容容器の先端側に内挿されて着脱可能に装着されると共に、内筒の後端面に押棒の進退を可能とする開口を有し、筒状容器の内部には、周方向に複数配設した支持片により芯材としての棒状化粧料の後端部を支持すると共に、前進する押棒に押されて先端側に移動する支持体と、この支持体を摺動可能に収容すると共に、軸線方向に延在するスリットを周壁に複数備え当該スリットに支持片が摺動可能に進入するスリットパイプと、支持体を後方側へ付勢する弾性体と、が設けられ、スリットパイプは、内筒内の開口の周囲と外筒の先端部の内面との間に挟み付けられ、内筒は、その外周面に、筒状容器が収容容器に対して装着されると当該収容容器の先端面に突き当てられる段部を有している。
【００１１】
このようなペンシル型容器によれば、当該ペンシル型容器を例えば落とし後方側へ向かう衝撃力がスリットパイプを介して内筒に作用しても、当該内筒の外周面に設けられた段部が、収容容器の先端面に突き当てられているため、内筒の後方への移動が阻止され当該内筒が外筒から離脱することは無い。また、このような構成にあっては、スリットパイプに支持体を組み込み、このスリットパイプ及び弾性体を内筒の先端側から内挿し、外筒を内筒の先端側に被せる組立方法が採用されるため、太い棒状化粧料を支持する大径の支持体で筒状容器の後端側からでは筒内に内挿できない支持体を備えていても容易に組み立てることが可能とされる。すなわち、上記構成は、大径の棒状化粧料を備えるペンシル型容器に対して好適に適用される。
【発明の効果】
【００１２】
本発明によるペンシル型容器によれば、外筒及び内筒を備える筒状容器の曲げ変形量が小さくされ棒状化粧料を始めとした芯材の損傷が防止されると共に、外筒、内筒各部品での肉厚差が小さくされ肉ひけが防止されるペンシル型容器を提供することが可能となる。
【発明を実施するための最良の形態】
【００１３】
以下、本発明によるペンシル型容器の好適な実施形態について図１〜図１９を参照しながら説明する。なお、各図において、同一の要素には同一の符号を付し、重複する説明は省略する。図１〜図１７は、本発明の第一実施形態に係るペンシル型容器としての棒状化粧料繰出容器を示す各図であって、図１〜図４は、棒状化粧料繰出容器を示す各図、図５〜図８は、棒状化粧料繰出容器の所定の横断面図、図９及び図１０は、棒状化粧料カートリッジを示す各図、図１１及び図１２は、内筒を示す各図、図１３及び図１４は、外筒を示す各図、図１５及び図１６は、スリットパイプを示す各図、図１７は、支持体を示す図であり、本実施形態の棒状化粧料繰出容器は、例えば、アイライナー、アイブロー、リップライナー等を始めとした種々の固形状の棒状化粧料を芯材として収容し、使用者が必要に応じて適宜出没可能とする棒状化粧料繰出容器である。
【００１４】
図１に示すように、棒状化粧料繰出容器１は、全体形状が筆記具の如き細長い丸棒状（スティック状）を成すと共に先端が先細りの良好な外観を呈するもので、棒状化粧料Ｍを収容する棒状化粧料カートリッジ２（図９及び図１０参照）を、図１〜図４に示すように、収容容器３の先端側（図示左側）に着脱可能に備えている。この収容容器３の後端側には、図２〜図４に示すように、塗布具ホルダ６を介して塗布具（化粧具）７が装着され、この塗布具７は、図１〜図４に示すように、収容容器３の後端部に着脱可能に装着されるキャップ８により、覆われ保護されている。
【００１５】
図２〜図４に示すように、収容容器３は、ホルダ４と、このホルダ４を装着する容器本体５と、を備えて内部に押棒９を収容し、ホルダ４と容器本体５とが相対回転することで、押棒９を進退させるものである。
【００１６】
ホルダ４は、両端が開放される段付円筒形状に構成されている。このホルダ４の先端側の内周面には、図３及び図４に示すように、周方向に沿って等間隔の位置に軸線方向に所定長延びる多数の溝部４ｉが形成されると共に、この溝部４ｉの後方近傍の内周面には、図４に示すように、周方向に沿って等間隔の位置に複数の突部（ダボとも称す）１４が形成されている。溝部４ｉは、棒状化粧料カートリッジ２を回転不能に装着するためのもので、突部１４は、棒状化粧料カートリッジ２を着脱自在に装着するためのものである。
【００１７】
このホルダ４は、図２〜図４に示すように、円柱形状の押棒９を摺動可能に収容し、その後半部４ａが小径の段付円筒形状に構成されて後方側へ延在している。この後半部４ａは、その周壁に、図２及び図４に示すように、軸線方向に延在し内外を連通するスリット４ｂを備え、押棒９の後端部に突設される突部（螺合突起）９ａが、スリット４ｂを通して外方に突出し当該スリット４ｂを摺動可能とされている。この突部９ａ及びスリット４ｂにより、押棒９の回り止め機構が構成されている。また、図２〜図４に示すように、ホルダ４の先端の開口から後半部４ａを形成する段部４ｄ迄には、棒状化粧料カートリッジ２の後半部を収容するための空間が画成されている。
【００１８】
容器本体５は、両端が開放される長尺の円筒形状に構成されている。この容器本体５内には、螺子筒１２が嵌合固定されている。この螺子筒１２は、内周面に、螺旋溝１２ａを備えている。
【００１９】
この容器本体５に対して上記ホルダ４が内挿され、ホルダ４の段部４ｄが螺子筒１２の先端面に突き当てられると共に、図４に示すように、ホルダ４の後端部の外周面に設けられた突部４ｃが螺子筒１２の後端部の内周面に設けられた環状突部１２ｂに係合することで、ホルダ４の先端面と容器本体５の先端面とが面一とされた状態で、螺子筒１２を備える容器本体５に対して、押棒９を収容するホルダ４が相対回転自在且つ軸線方向移動不能に装着されている。また、この状態で、図２及び図４に示すように、螺旋溝１２ａに押棒９の突部９ａが係合し、押棒９の螺子機構が構成されている。従って、ホルダ４と容器本体５とが相対回転されると、押棒９がホルダ４内を進退する。この押棒９は、図３及び図４に示す後退限にあっては、その先端が、ホルダ４の先端の開口から段部４ｄ迄の空間に突出する構成とされている。
【００２０】
このような収容容器３に着脱可能に装着される棒状化粧料カートリッジ２は、図２〜図４、図９及び図１０に示すように、外形を構成する略円筒形状の筒状容器２０を具備し、この筒状容器２０内に、図２〜図４に示すように、棒状化粧料Ｍを支持する支持体２１と、この支持体２１を軸線方向に摺動可能に収容するスリットパイプ２２と、このスリットパイプ２２に巻き付くように外挿される圧縮バネ（弾性体）２３とを収容している。
【００２１】
ここで、筒状容器２０は、外筒１０と内筒１１とを備える構成とされているが、ここでは、これらの外筒１０及び内筒１１を纏めて筒状容器２０として説明し、当該外筒１０及び内筒１１個々については後述する。
【００２２】
筒状容器２０は、収容容器３から突出する摘み部としての先端側の前半部と、図２〜図４、図９及び図１０に示すように、前半部に段差面２０ｄを介し外周面が小径とされて連続しホルダ４に収容される後半部とを備え、筒状容器２０の前半部は、先端に向けて次第に外径が細くなる先細り形状とされている。筒状容器２０の内周面は、図３及び図４に示すように、先端側に三個の段差面２０ａ，２０ｂ，２０ｃを備え、これらの三個の段差面２０ａ，２０ｂ，２０ｃにより内径が段々に拡大され、先端から２／３程度の位置にある支持片２１の後退限位置から多少小径とされて有底部（後端面）迄連続する内周面とされている。この筒状容器２０の内周面は、最外位置の段差面２０ｃから支持体２１の突部２１ｂ（詳しくは後述）の後退限位置迄が、圧縮バネ２３を挿入可能とする大きさとされ、最内位置の段差面２０ａ及び中間位置の段差面２０ｂから筒状容器２０の後端面迄が、スリットパイプ２２を挿入可能とする大きさとされ、最内位置の段差面２０ａより先端側が、棒状化粧料Ｍを進退可能とする大きさとされている。
【００２３】
この筒状容器２０の後端面を構成する有底部には、上記押棒９の進退を可能とする開口２０ｆが開口され、図３、図４及び図１０に示すように、この開口２０ｆの周囲は、先端側に所定長環状に折り返される折り返し部２０ｇを備え、この折り返し部２０ｇの半径方向外側が環状の袋部２０ｈとされている。
【００２４】
また、筒状容器２０の外周面には、図９に示すように、段差面２０ｄから後方側へ所定長延在しホルダ４の溝部４ｉに係合する突条２０ｉが周方向に沿って等間隔の位置に形成されていると共に、この突条２０ｉより後方側の近傍位置に、ホルダ４の突部（ダボ）１４が係合する環状溝２０ｊが形成されている。
【００２５】
スリットパイプ２２に収容されている支持体２１は、図２〜図４に示すように、棒状化粧料Ｍを保持して進退するもので、図３、図４及び図１７に示すように、棒状化粧料Ｍの後端面が突き当てられる基部２１ｄと、この棒状化粧料Ｍの後端部を支持する複数（本実施形態では二個）の支持片２１ａと、押棒９により押される後端部２１ｃと、この後端部２１ｃと基部２１ｄとを連結する連結部２１ｅとを備え、弾性を有する例えば合成樹脂等の一体成形品されている。
【００２６】
基部２１ｄは、図１７に示すように、軸体を軸線方向に延在して成るもので、円柱形状の棒状化粧料Ｍに略合致する形状に構成されている。
【００２７】
支持片２１ａは、基部２１ｄの外周面の対向位置に、筒状容器２０の先端側に向かって突出するように設けられている。この支持片２１ａは、その後端部に、外方（半径方向）に向かって突出する突部２１ｂを備えている。この突部２１ｂは、圧縮バネ２３のバネ受けとして機能する。
【００２８】
また、支持片２１ａは、図６及び図１７に示すように、内外周面が円弧状のこば面に形成され、内周面が棒状化粧料Ｍを支持可能な円弧面にされると共に、内周こば面に比して外周こば面が長くされる横断面略扇形形状とされている。そして、これらの支持片２１ａ，２１ａ同士の間に、図２〜図４に示すように、棒状化粧料Ｍの後端部が嵌め込まれ保持される。なお、支持片２１ａの内面には、図６及び図１７に示すように、棒状化粧料Ｍとの接触面積を増大し、棒状化粧料Ｍの離脱（抜け）を防止するための突条２１ｆが、支持片２１ａの先端近傍から基部２１ｄ迄延びるように設けられている。
【００２９】
図３、図４及び図１７に示すように、後端部２１ｃは、押棒と略同径の円柱状に構成され、この後端部２１ｃと基部２１ｄとを連結する連結部２１ｅは、棒状化粧料Ｍに外力が作用した時に支持片２１ａ及び基部２１ｄが棒状化粧料Ｍと共に後端部２１ｃに対して容易に曲がるように（曲がらないと棒状化粧料Ｍが折損する虞がある）、細棒状に構成されている。
【００３０】
この支持体２１を収容するスリットパイプ２２は、弾性を有する例えば合成樹脂等の一体成形品とされ、図１５及び図１６に示すように、略円筒形状に構成されている。このスリットパイプ２２は、その周壁の先端部及び後部を除く位置に、軸線方向に延在し内外を連通するスリット２２ａを周方向に複数（本実施形態では二個）備えている。このスリット２２ａの形状は、図６に示すように、支持片２１ａの横断面形状と略相似形を成し近接する開口とされている。図１５に示すように、スリットパイプ２２のスリット２２ａより先端側は、その外径が、スリット２２ａ，２２ａ間の周壁部分の外径より小径とされ、この先端側部分とスリット２２ａ，２２ａ間の周壁部分との間には段差面２２ｂが形成されている。また、スリットパイプ２２は、スリット２２ａの後端近傍からパイプ後端迄の外径が、筒状容器２０の内周面に近接し外径を拡大するように多少大径とされていると共に、図３、図４及び図１６に示すように、その後端部２２ｃの内径が、筒状容器２０の袋部２０ｈに挿入されるように、大径とされている。そして、スリット２２ａに、支持体２１の支持片２１ａが軸線方向に摺動可能に進入すると共に、図４に示すように、このスリット２２ａを通して、支持体２１の突部２１ｂが外方に突出する状態で、支持体２１がスリットパイプ２２に収容されている。
【００３１】
このように、横断面略扇形形状とされる支持片２１ａ及びスリット２２ａにより、支持片２１ａは、その厚み方向である内側への動きが拘束されて軸線方向に摺動する。このため、支持片２１ａに支持される棒状化粧料Ｍの当該支持片２１ａによる損傷、破損の防止が図られている。
【００３２】
支持体２１を収容するスリットパイプ２２は、図３、図４及び図７に示すように、その後端部２２ｃが筒状容器２０の袋部２０ｈに挿入されて突き当てられると共に、図３に示すように、その先端面が、筒状容器２０内の最内位置の段差面２０ａに突き当てられ、且つ、その先端側の段差面２２ｂが、筒状容器２０内の中間位置の段差面２０ｂに突き当てられることで、筒状容器２０内に挟み付けられて固定されている。
【００３３】
圧縮バネ２３は、バネ自体の絡み付きを防止すべく、図３及び図４に示すように、中間部が密を成す螺旋状に、それ以外の部分が疎を成す螺旋状に構成されている。この圧縮バネ２３は、図３〜図６及び図８に示すように、スリットパイプ２２の周囲で、図４に示すように、支持体２１の突部２１ｂと筒状容器２０内の最外位置の段差面２０ｃとの間に配置され、突部２１ｂを介して支持体２１及び棒状化粧料Ｍを後方側（押棒９側）に付勢し、支持体２１が上記押棒９により押圧されていない状態において、当該支持体２１の突部２１ｂを、スリットパイプ２２のスリット２２ａの後端位置に押し付ける構成とされている。このスリット２２ａの後端位置に突部２１ｂが位置している時が、支持体２１の後退限とされ、この時、棒状化粧料Ｍの先端は、図３及び図４に示すように、容器本体２０の先端の開口２０ｅから没した状態にある。
【００３４】
ここで、本実施形態においては、前述したように、筒状容器２０が、外筒１０と内筒１１とに分割されている。そして、これらの外筒１０及び内筒１１は、各々が例えば合成樹脂等を成形材として射出成形により成形されている。
【００３５】
内筒１１は、図３及び図４に示すように、筒状容器２０の軸線方向途中部分（最外位置の段差面２０ｃと圧縮バネ２３の中間部との略中間位置）から段差面２０ｄ迄の内側部分と、これに続く後方側の全部分（後半部）とを備えるもので、外筒１０は、筒状容器２０の先端から段差面２０ｄ迄の部分で内筒１１を除く部分であり内筒１１の先端から段差面２０ｄ迄の部分を覆う形状とされている。
【００３６】
内筒１１は、図１１及び図１２に示すように、軸線方向中程に環状突部（段部）１１ａを備え、図３及び図４に示すように、この環状突部１１ａの後端面と外筒１０の後端面とが面一とされこれらの後端面により筒状容器２０の段差面２０ｄが構成される。図１１及び図１２に示すように、内筒１１の外周面には、その環状突部１１ａより先端側の近傍位置に、外筒１０を軸線方向移動不能に装着するための環状溝部１１ｂが形成されている。
【００３７】
また、内筒１１は、その外周面の周方向に沿って等間隔の位置に、先端から環状溝部１１ｂ迄軸線方向に延びる突条（突部）１１ｃを複数（本実施形態では四個）備えている。この突条１１ｃは、外筒１０を回転不能に装着するためのもので、特に本実施形態にあっては、図８に示すように、突条１１ｃを構成する両側面１１ｄ，１１ｄが外広がりの傾斜面とされ、横断面略扇形形状とされている。
【００３８】
外筒１０は、図１３及び図１４に示すように、先端に向けて次第に外径が細くなる先細り形状とされ、図１４に示すように、その後端の開口を含む後端内周面１０ａが、内筒１１の環状突部１１ａを収容すべく大径内周面とされ、この大径内周面１０ａより先端側の近傍位置に、内筒１１の環状溝部１１ｂに係合する環状突部１０ｂを備えている。
【００３９】
また、外筒１０の内周面で内筒１１の突条１１ｃに対応する内周面には、突条１１ｃが進入し係合する溝部１０ｃが複数（本実施形態では四個）設けられている。この溝部１０ｃは、図８に示すように、内側の開口幅に比して溝部の底面が長くされると共に両側面１０ｄが外広がりの傾斜面とされ、内筒１１の突条１１ｃに近接する形状とされている。
【００４０】
そして、このような構成を有する棒状化粧料カートリッジ２を組み立てる場合には、先ず、図１５に示すスリットパイプ２２の弾性を有する周壁を互いに離間する方向（図１５の略左右方向）に引っ張り当該周壁同士間のスリット２２ａ，２２ａを押し広げ当該スリット２２ａを通して、図１７に示す支持体２１をスリットパイプ２２内に進入させ、以降図３及び図４を参照して説明すれば、支持体２１の突部２１ｂをスリットパイプ２２のスリット２２ａに通すと共に支持体２１の支持片２１ａをスリット２２ａに進入させる。次いで、この支持体２１を摺動可能に収容するスリットパイプ２２に、圧縮バネ２３を当該圧縮バネ２３の後端から外挿し、この圧縮バネ２３の後端を支持体２１の突部２１ｂに突き当てる。
【００４１】
次いで、この支持体２１を収容し圧縮バネ２３が巻装されたスリットパイプ２２を、内筒１１の先端面の開口から内挿し、スリットパイプ２２の後端面を内筒１１の袋部２０ｈに突き当てて内筒組を得、次いで、外筒１０を、内筒組の先端部を覆うと共に、その溝部１０ｃと内筒１１の突部１１ｃが合うようにして外挿することで、外筒１０の環状突部１０ｂと内筒１１の環状溝部１１ｂとを係合させ、外筒１０と内筒１１を軸線方向移動不能に連結すると共に、外筒１０の溝部１０ｃと内筒１１の突条１１ｃを係合させ、外筒１０と内筒１１を回転不能に連結する。これにより、スリットパイプ２２は、図３に示すように、外筒１０内の最内位置の段差面２０ａ及び中間位置の段差面２０ｂと内筒１１内の袋部２０ｈとの間に挟み付けられて固定され、圧縮バネ２３は、外筒１０内の最外位置の段差面２０ｃと支持体２１の突部２１ｂとの間に配置され、外筒１０の後端面と内筒１１の環状突部１１ａの後端面とが筒状容器２０の面一の段差面２０ｄとされる。そして、棒状化粧料Ｍを、外筒１０（筒状容器２０）の先端の開口２０ｅを通して挿入し、支持体２１の基部２１ｄに突き当てることで、その後端部を支持片２１ａに支持させ、これにより、図３及び図９に示す棒状化粧料カートリッジ２が得られる。
【００４２】
また、図４を参照すれば、棒状化粧料カートリッジ２を収容容器３に内挿し、筒状容器２０の段差面２０ｄ（内筒１１の環状突部１１ａ及び外筒１０の後端面）を収容容器３の先端面に突き当てると、ホルダ４の溝部４ｉと内筒１１の突条２０ｉが係合し、ホルダ４と内筒１１（筒状容器２０）が回転不能に連結されると共に、ホルダ４の突部１４と内筒１１の環状溝部２０ｊが係合し、ホルダ４と内筒１１（筒状容器２０）が軸線方向着脱可能に連結され、図１、図３及び図４に示す棒状化粧料繰出容器１が得られる。
【００４３】
このような棒状化粧料カートリッジ２を備える棒状化粧料繰出容器１によれば、筒状容器２０の外筒１０と収容容器３の容器本体５とを摘み、これらを相対回転すると、押棒９が進退し、この押棒９が前進すると当該押棒９に支持体２１が押し出されて前進し、棒状化粧料Ｍが筒状容器２０の先端の開口２０ｅから突出して当該棒状化粧料Ｍの塗布が可能とされ、一方、押棒９が後退すると、圧縮バネ２３の付勢力により支持体２１は押棒９側へ押圧されて後退し、支持体２１が後退限迄後退すると、棒状化粧料Ｍは、筒状容器２０の先端の開口２０ｅから没し棒状化粧料カートリッジ２内に収容される。
【００４４】
また、棒状化粧料カートリッジ２を、ホルダ４の突部１４と内筒１１の環状溝部２０ｊとの係合に抗して収容容器３から抜脱すると、支持体２１に対して押棒９による押圧力が無くなくなるため、支持体２１は、圧縮バネ２３の付勢力により、後退限迄後退し、棒状化粧料Ｍは、筒状容器２０の先端の開口２０ｅから没し棒状化粧料カートリッジ２内に収容される。このため、棒状化粧料カートリッジ２を抜脱した状態では、衣服、指先、ハンドバック等を汚すことが防止されている。
【００４５】
このような棒状化粧料繰出容器１にあって、特に本実施形態においては、図８に示すように、内筒１１の突条１１ｃが、外広がりの傾斜側面１１ｄを備える横断面略扇形形状とされていると共に、この突条１１ｃが進入する外筒１０の溝部１０ｃが、突条１１ｃの横断面形状と略相似形を成し近接する形状とされている。
【００４６】
すなわち、内筒１１の突条１１ｃ及び外筒１０の溝部１０ｃのその側面同士１１ｄ，１０ｄが、厚み方向の動きを拘束する形状に構成され、内筒１１の突条１１ｃの内側への動きが外筒１０の溝部１０ｃにより拘束されている（外筒１０から見れば外筒１０の溝部１０ｃの外側への動きが内筒１１の突条１１ｃにより拘束されている）ため、従来の横断面略長方形形状の突条及び溝部の側面同士では阻止されていない厚み方向への動きが容易に阻止されている。このため、筒状容器２０に曲げ力が作用した場合の当該筒状容器２０の曲げ変形量が小さくされ、棒状化粧料Ｍの折損を始めとした損傷が防止されている。
【００４７】
また、このように、筒状容器２０が、図３及び図４に示すように、内筒１１とこの内筒１１の先端側を覆う外筒１０とに分割されているため、内筒１１及び外筒１０を一体成形し先端側から後側へ離間するに連れて先細り形状のため肉厚差が大きくなり肉ひけ（ボイドを含む）を招来する虞がある一体成形品に比して、外筒１０、内筒１１各部品での肉厚差が小さくされ、肉ひけが防止されている。
【００４８】
また、支持体を押棒により押し出し弾性体により戻すタイプである特開平１１−７５９３４号公報に記載の棒状化粧料繰出容器（ペンシル型容器）にあっては、筒状容器の後端の開口に、押棒の進退を可能とする開口を中央に有する尾栓を内挿し嵌着する構成であるため、この筒状容器を装着した棒状化粧料繰出容器を例えば落とした場合には、尾栓に対して、棒状化粧料及びこれを支持する支持体の重みによる後方側へ向かう衝撃力が作用し、尾栓が収容容器内において後方に離脱する虞があるが、本実施形態にあっては、図３及び図４に示すように、当該棒状化粧料繰出容器１を例えば落とし後方側へ向かう衝撃力がスリットパイプ２２を介して内筒１１の袋部２０ｈに作用しても、当該内筒１１の外周面に設けられた環状突部１１ａ（段部）が、収容容器３の先端面に突き当てられているため、内筒１１の後方への移動が阻止され当該内筒１１が外筒１０から離脱することは無く、品質及び信頼性の向上が図られている。なお、内筒１１の段部は必ずしも環状突部とされている必要はなく、複数の突部（段部）が収容容器３の先端面に突き当てられる構成であっても良い。
【００４９】
さらに、本実施形態にあっては、スリットパイプ２２に支持体２１を組み込み、このスリットパイプ２２及び圧縮バネ２３を内筒１１の先端側から内挿し、外筒１０を内筒１１の先端側に被せる組立方法が採用されるため、太い棒状化粧料Ｍを支持する大径の支持体２１で筒状容器２０の後端側からでは筒内に内挿できない支持体２１を備えていても容易に組み立てることが可能である。
【００５０】
なお、棒状化粧料Mは円形に限定されるものではなく楕円形であっても良く、また、前述した螺旋溝１２ａ、螺合突起（突部）２１ｂ等は、これらと同様な機能を有する螺子状のものであれば良い。
【００５１】
図１８は、本発明の第二実施形態に係る棒状化粧料繰出容器を示す横断面図であり、図４のVIII-VIII矢視図に対応する図、図１９は、本発明の第三実施形態に係る棒状化粧料繰出容器を示す横断面図であり、図４のVIII-VIII矢視図に対応する図である。この第二、第三実施形態が第一実施形態と違う点は、内筒１１の突条１１ｃに代えて、第二実施形態では突条１１ｅを、第三実施形態では突条１１ｇを各々用いると共に、外筒１０の溝部１０ｃに代えて、第二実施形態では溝部１０ｅを、第三実施形態では溝部１０ｇを各々用いた点である。
【００５２】
第二実施形態にあっては、図１８に示すように、内筒１１の突条１１ｅは、その両側面１１ｆ，１１ｆが外側に向かって階段状に広がる形状（広がりは一段）にされていると共に、この突条１１ｅが進入する外筒１０の溝部１０ｅが、突条１１ｅの横断面形状と略相似形を成し近接する形状とされている。
【００５３】
すなわち、内筒１１の突条１１ｅ及び外筒１０の溝部１０ｅのその側面同士１１ｆ，１０ｆが、厚み方向の動きを拘束する形状に構成され、内筒１０の突条１１ｅの内側への動きが外筒１０の溝部１０ｅにより拘束されている（外筒１０から見れば外筒１０の溝部１０ｅの外側への動きが内筒１１の突条１１ｅにより拘束されている）。従って、第一実施形態と略同様な効果を得ることができる。
【００５４】
また、第三実施形態にあっては、図１９に示すように、内筒１１の突条１１ｇは、その両側面１１ｈ，１１ｈが内広がりの傾斜面とされ、第一実施形態の横断面略扇形形状の上下を逆にした如きの形状にされていると共に、この突条１１ｇが進入する外筒１０の溝部１０ｇが、突条１１ｇの横断面形状と略相似形を成し近接する形状とされている。
【００５５】
すなわち、内筒１１の突条１１ｇ及び外筒１０の溝部１０ｇのその側面同士１１ｈ，１０ｈが、厚み方向の動きを拘束する形状に構成され、内筒１１の突条１１ｇの外側への動きが外筒１０の溝部１０ｇにより拘束されている（外筒１０から見れば外筒１０の溝部１０ｇの内側への動きが内筒１１の突条１１ｇにより拘束されている）。従って、第一、第二実施形態と略同様な効果を得ることができる。
【００５６】
以上、本発明をその実施形態に基づき具体的に説明したが、本発明は上記実施形態に限定されるものではなく、例えば、上記実施形態においては、特に好ましいとして、内筒１１の突条１１ｃ，１１ｅ，１１ｇ及び外筒１０の溝部１０ｃ，１０ｅ，１０ｇを各々四個としているが、五個以上としても良く、場合によっては三個、二個としても良い。
【００５７】
また、上記実施形態においては、突条１１ｃ，１１ｅ，１１ｇを内筒１１の外周面に設けているが、内筒１１の先端面（外面）から前方に所定長突出するように設けても良い。この場合、内筒１１の先端面から前方に所定長突出する突条に対応して、外筒１０の内面に溝部を設けることになる。このような内筒１１の突条は、内筒１１の先端面から前方に所定長突出する突条のみでも良く、また、上記実施形態で説明した外周面の突条１１ｃ，１１ｅ，１１ｇのみでも良く、さらには、内筒１１の先端面から前方に突出する突条及びこれに連設され外周面から突出する突条１１ｃ，１１ｅ，１１ｇを両方有する構成であっても良い。
【００５８】
また、上記実施形態においては、特に好ましいとして、内筒１１に突条１１ｃ，１１ｅ，１１ｇを設け、外筒１０に溝部１０ｃ，１０ｅ，１０ｇを設けるようにしているが、これとは逆に、内筒１１に溝部を設け、外筒１０に突条を設けるようにしても良い。
【００５９】
また、上記突条１１ｃ，１１ｅ，１１ｇ及び溝部１０ｃ，１０ｅ，１０ｇを備える構成は、棒状化粧料を支持する支持体を押棒により押し出し弾性体により戻すタイプの棒状化粧料繰出容器に限定されるものではなく、また、収容容器に着脱可能に装着される棒状化粧料カートリッジに限定されるものではなく、また、外筒が内筒の先端側のみを覆う筒状容器に限定されるものではなく例えばその後端部内に螺子筒を収容して備える内筒の全体を外筒で覆うタイプの筒状容器に対しても適用可能であり、さらには、芯材を棒状化粧料とするものに限定されるものではなく例えばボールペン等の筆記具のレフィール等とするものに対しても適用可能であり、要は、芯材を収容すると共に、進退する芯材を先端の開口から出没可能とする筒状容器を備えたペンシル型容器全てに対して適用可能である。
【図面の簡単な説明】
【００６０】
【図１】本発明の第一実施形態に係る棒状化粧料繰出容器を示す斜視図である。
【図２】図１に示す棒状化粧料繰出容器の縦断斜視図である。
【図３】図１に示す棒状化粧料繰出容器の縦断面図である。
【図４】図３に直交する方向の棒状化粧料繰出容器の縦断面図である。
【図５】図４のV-V矢視図である。
【図６】図４のVI-VI矢視図である。
【図７】図４のVII-VII矢視図である。
【図８】図４のVIII-VIII矢視図である。
【図９】図１〜図４中の棒状化粧料カートリッジを示す斜視図である。
【図１０】図９に示す棒状化粧料カートリッジの縦断斜視図である。
【図１１】図９及び図１０中の内筒を示す斜視図である。
【図１２】図１１に示す内筒の縦断斜視図である。
【図１３】図９及び図１０中の外筒を示す斜視図である。
【図１４】図１３に示す外筒の縦断斜視図である。
【図１５】図３、図４及び図１０中のスリットパイプを示す斜視図である。
【図１６】図１５に示すスリットパイプの縦断斜視図である。
【図１７】図３、図４及び図１０中の支持体を示す斜視図である。
【図１８】本発明の第二実施形態に係る棒状化粧料繰出容器を示す横断面図であり、図４のVIII-VIII矢視図に対応する図である。
【図１９】本発明の第三実施形態に係る棒状化粧料繰出容器を示す横断面図であり、図４のVIII-VIII矢視図に対応する図である。
【符号の説明】
【００６１】
１…棒状化粧料繰出容器（ペンシル型容器）、２…棒状化粧料カートリッジ、３…収容容器、９…押棒、１０…外筒、１０ｃ，１０ｅ，１０ｇ…外筒の溝部、１０ｄ，１０ｆ，１０ｈ…外筒の溝部の側面、１１…内筒、１１ａ…内筒の環状突部（段部）、１１ｃ，１１ｅ，１１ｇ…内筒の突条（突部）、１１ｄ，１１ｆ，１１ｈ…内筒の突条の側面、２０…筒状容器、２０ａ，２０ｂ…外筒の内面の段差面（外筒の先端部の内面）、２０ｅ…筒状容器の先端の開口、２０ｆ…内筒の後端面の開口、２０ｈ…内筒の袋部（内筒内の開口の周囲）、２１…支持体、２１ａ…支持片、２２…スリットパイプ、２２ａ…スリット、２３…圧縮バネ（弾性体）、Ｍ…棒状化粧料（芯材）。
【図１】
2005279045.tif 000003
【図２】
2005279045.tif 000004
【図３】
2005279045.tif 000005
【図４】
2005279045.tif 000006
【図５】
2005279045.tif 000007
【図６】
2005279045.tif 000008
【図７】
2005279045.tif 000009
【図８】
2005279045.tif 000010
【図９】
2005279045.tif 000011
【図１０】
2005279045.tif 000012
【図１１】
2005279045.tif 000013
【図１２】
2005279045.tif 000014
【図１３】
2005279045.tif 000015
【図１４】
2005279045.tif 000016
【図１５】
2005279045.tif 000017
【図１６】
2005279045.tif 000018
【図１７】
2005279045.tif 000019
【図１８】
2005279045.tif 000020
【図１９】
2005279045.tif 000021